(57)【要約】【課題】信号線短絡時の故障を防止または低減することができる安価で小形軽量の制御装置および照明装置を提供する。【解決手段】照明装置１は、信号線１０に接続され、信号線１０から電力が供給されて動作するとともに、人感センサが人体を検知したときに信号線１０の電圧を変化させることにより信号線１０に検知信号を送出するセンサ装置３，４と、信号線１０の短絡を検出したときに、この信号線１０への給電を停止させる給電停止手段と、を具備している。【選択図】  図１
2009037793.tif 000002
【特許請求の範囲】
【請求項１】
信号線に接続され、この信号線に電力を供給する電源部を有する負荷制御装置と；
人体を検知する人感センサを有し、前記信号線に接続されて電力が供給されるとともに、この人感センサが人体を検知したときに信号線の電圧を変化させることにより信号線に検知信号を送出するセンサ装置と；
信号線の電圧を検出する電圧検出手段と；
この電圧検出手段により検出された電圧に基づいて前記人体検知信号と信号線の短絡の有無を検出する信号検出手段と；
前記信号検出手段により信号線の短絡を検出したときに、前記電源部から信号線への電力の供給を停止させる給電停止手段と；
を具備していることを特徴とする制御装置。
【請求項２】
前記給電停止手段により信号線への電力の供給を停止させた後、その電力供給を所定時間かつ所定間隔置いて所定回数繰り返すことにより、前記信号検出手段が短絡を検知しなかったときに、この電力供給を再開させる給電自動復帰手段、
を具備していることを特徴とする請求項１記載の制御装置。
【請求項３】
前記信号検出手段により信号線の短絡を検出したときに、その短絡を表示する短絡表示部、
を具備していることを特徴とする請求項１または２記載の制御装置。
【請求項４】
前記センサ装置は、人感センサが人体を検出したときに、人体検知信号として、電圧降下による複数個のパルス信号を所定時間内に信号線に送出するパルス人体検知信号送出手段、
を具備していることを特徴とする請求項１ないし３のいずれか一記載の制御装置。
【請求項５】
請求項１ないし４のいずれか一記載の制御装置と；
前記制御装置に接続された照明負荷と；
前記制御装置に設けられ、信号検出手段により人体検知信号を検出したときに人体の存在に応じた制御信号を出力して照明負荷を制御し、人体検知信号を検出した時点から所定期間内に再び信号検出手段が人体検知信号を検出しないときに人体の不存在に応じた制御信号を出力して照明負荷を制御する照明制御手段と；
を具備していることを特徴とする照明装置。
【発明の詳細な説明】
【技術分野】
【０００１】
本発明は、人体の存否を検出する人感センサを備えている制御装置および照明装置に関する。
【背景技術】
【０００２】
人体から放射される熱線を焦電素子のような熱線センサ（人感センサ）により検知して人体の存否を検出することにより、照明器具を自動的に点消灯させる照明装置が広く利用されている。この種の照明装置は、熱線センサを具備したセンサ装置が信号線を介して主制御部（コントローラ）に接続されている。そして、主制御部は、２線よりなる信号線に直流電圧を印加し、センサ装置は、人体を検知すると、信号線の線間電圧を変化させる検知信号を信号線に送出する照明装置が提案されている（例えば、特許文献１，２参照）。
【０００３】
また、この種の照明装置は、一般的に、人体の存在を検知して照明器具を点灯させた後、当該検知時点から所定期間（遅延時間）後に照明器具を消灯させるようにしている。この所定期間は、人体が存在していない状態でも照明器具が点灯しているので、場合によっては照明器具の消費電力が無駄になることがある。そこで、例えば部屋から退出する際に、照明器具を強制的に消灯させることが行われている。すなわち、照明器具のランプを強制的に消灯させるスイッチを信号線により主制御部に接続しているセンサ付照明器具が提案されている（例えば、特許文献３参照）。
【０００４】
また、熱線センサは、人体の動きがなくなると人体の存在を検知しなくなるので、前記所定期間後に照明器具が消灯されることを防止するために、負荷オン／オフ端末器（スイッチ装置）よりオン要求の信号を送信して照明器具を点灯させる照明装置が提案されている（例えば、特許文献４参照）。この従来技術の照明装置は、同一の信号線にセンサ装置および負荷オン／オフ端末器が接続され、それぞれ検知信号およびオン要求の制御信号が伝送される。
【特許文献１】特開平２−２９１７９５号公報（第３頁、第２図）
【特許文献２】特開２００５−２８５５４１号公報
【特許文献３】特開平１１−１８５９７７号公報（第４頁、図１）
【特許文献４】特開平５−２７６５７７号公報（第４頁、図１）
【発明の開示】
【発明が解決しようとする課題】
【０００５】
しかしながら、これら従来技術では、電力が供給される２線の信号線またはこれに接続されたセンサ装置に、万一短絡が発生した場合、このセンサ装置または主制御部等を有する給電側の親機等の電力供給回路部、あるいは子機とのＩ／Ｆ（インターフェース）回路部に過電流が流入して故障するという虞があった。
【０００６】
これに対しては、給電側の親機の電力供給回路部で供給電流を制限すると共に、その過電流が供給され続けても耐えられ、故障に至らないような大容量の電流制限手段を設けることも考えられる。
【０００７】
しかし、この方法では、大容量の電流制限手段として、高価な大容量電流制限部材等多くの素子や部品が必要であり、コスト高と大形重量化を招くという課題がある。
【０００８】
本発明はこのような事情を考慮してなされたもので、信号線短絡時の故障を防止または低減することができる安価で小形軽量の制御装置および照明装置を提供することを目的とする。
【課題を解決するための手段】
【０００９】
請求項１に記載の制御装置の発明は、信号線に接続され、この信号線に電力を供給する電源部を有する負荷制御装置と；人体を検知する人感センサを有し、前記信号線に接続されて電力が供給されるとともに、この人感センサが人体を検知したときに信号線の電圧を変化させることにより信号線に検知信号を送出するセンサ装置と；信号線の電圧を検出する電圧検出手段と；この電圧検出手段により検出された電圧に基づいて前記人体検知信号と信号線の短絡の有無を検出する信号検出手段と；前記信号検出手段により信号線の短絡を検出したときに、前記電源部から信号線への電力の供給を停止させる給電停止手段と；を具備していることを特徴とする。
【００１０】
本発明および以下の発明において、特に言及しない限り、各構成は以下による。
【００１１】
信号線に供給される電力は、直流電源または交流電源を問わない。交流電源が供給されるとき、センサ装置およびスイッチ装置において、交流電圧を直流電圧に変換して動作電源とすることができる。
【００１２】
また、「電圧を変化させる」とは、信号線に送出されるセンサ装置の検知信号としての電圧（電流）レベルが供給電圧（電流）レベルと異なることを意味する。
【００１３】
なお、負荷制御装置、電圧検出手段、信号検出手段、給電停止手段はそれぞれ別体により構成してもよいし、一つの本体内に収納して構成してもよい。
【００１４】
請求項２に記載の制御装置の発明は、前記給電停止手段により信号線への電力の供給を停止させた後、その電力供給を所定時間かつ所定間隔置いて所定回数繰り返すことにより、前記信号検出手段が短絡を検知しなかったときに、この電力供給を再開させる給電自動復帰手段、を具備していることを特徴とする。
【００１５】
請求項３に記載の制御装置の発明は、前記信号検出手段により信号線の短絡を検出したときに、その短絡を表示する短絡表示部、を具備していることを特徴とする。
【００１６】
請求項４に記載の制御装置の発明は、前記センサ装置は、人感センサが人体を検出したときに、人体検知信号として、電圧降下による複数個のパルス信号を所定時間内に信号線に送出するパルス人体検知信号送出手段、を具備していることを特徴とする。
【００１７】
請求項５に記載の照明装置の発明は、請求項１ないし４のいずれか一記載の制御装置と；前記制御装置に接続された照明負荷と；前記制御装置に設けられ、信号検出手段により人体検知信号を検出したときに人体の存在に応じた制御信号を出力して照明負荷を制御し、人体検知信号を検出した時点から所定期間内に再び信号検出手段が人体検知信号を検出しないときに人体の不存在に応じた制御信号を出力して照明負荷を制御する照明制御手段と；を具備していることを特徴とする。
【００１８】
なお、照明負荷の点消灯制御の他、人体の存否に応じた制御信号により、照明負荷を調光制御するように構成されていてもよい。すなわち、照明制御手段は、人体の存在に応じた制御信号を出力することにより、照明負荷を点灯させる。このときの照明負荷の調光率は、予め設定された調光率であってもよく、照度センサの検知信号に応じて照明エリアが一定の明るさとなるように調光率が変化されるものであってもよい。また、人体の不存在に応じた制御信号を出力することにより、照明負荷を消灯または調光点灯させる。
【発明の効果】
【００１９】
請求項１の発明によれば、信号線またはこれに接続されたセンサ装置に短絡が発生すると、電源部から信号線へ供給していた電力の給電を停止させるので、短絡時の過電流（過電圧）によるセンサ装置や照明制御等の機器の故障を未然に防止または低減することができる。
【００２０】
請求項２の発明によれば、給電停止手段により信号線への給電を停止した後、信号検出手段が短絡を検出しなくなったときは、信号線への給電を自動復帰させることができる。
【００２１】
請求項３の発明によれば、信号線またはセンサ装置の短絡が信号検出手段により検出されると、その短絡が短絡表示部に表示されるので、この短絡表示部の表示を目視することにより短絡が発生しているか否かを簡単に知ることができる。
【００２２】
請求項４の発明によれば、人体検知信号が複数個のパルス信号から構成されているので、短絡による信号線の電圧変化と人体検知信号とを確実に区別することができ、検出精度の向上を図ることができる。
【００２３】
請求項５の発明によれば、人感センサにより人体の存在を検出すると、その人体の存在に応じた制御信号（例えば点灯制御信号）を照明負荷に与えて、点灯等の制御を行うことができる。
【００２４】
また、その人体検知信号を検出した時点から所定期間内に再び信号検出手段が人体検知信号を検出しないときは、人体の不存在に応じた制御信号（例えば消灯制御信号）を照明負荷に与えて、消灯等の制御を行うことができる。
【発明を実施するための最良の形態】
【００２５】
以下、本発明の一実施の形態について、図面を参照して説明する。
【００２６】
図１〜図８は、本発明の第１の実施形態を示し、図１はこの第１の実施形態に係る照明装置の概略構成図、図２は天井に取り付けられた状態の親機のセンサ装置の概略正面図、図３は親機のセンサ装置のカバーが取り外された状態の概略下面図、図４は負荷制御装置の概略ブロック図、図５は子機のセンサ装置の概略回路図、図６は時限オフスイッチ装置の概略回路図、図７は信号線に送出される検知信号および操作信号を示し、（ａ）は信号図、（ｂ）は概略検出回路図、図８は照明負荷の制御を示す動作図である。
【００２７】
図１に示すように、照明装置１は、親機のセンサ装置２および子機のセンサ装置３，４からなる制御装置、スイッチ装置としての時限オフスイッチ装置５および照明器具６を具備している。親機のセンサ装置２には、図２〜図４で示す負荷制御装置２６、電圧検出手段の一例である子機・時限オフスイッチ通信Ｉ／Ｆ部２８、後述するセンサ制御手段および外部操作制御手段等を有する例えばマイクロプロセッサ等からなる主制御部３２が設けられている。また、照明負荷７は、照明器具６に配設されている。さらに、子機のセンサ装置３，４が本発明のセンサ装置を構成している。
【００２８】
親機のセンサ装置２は、例えば室内の天井面に配設され、子機のセンサ装置３，４，…は、例えば廊下の天井面や玄関などの出入口より奥側の天井面等所要箇所に配設されている。また、時限オフスイッチ装置５は、例えば玄関などの出入口の壁面に配設されている。照明器具６は、室内の天井面に、直付けされ、または吊り下げられ、あるいは埋設されている。照明器具６は、照明負荷としての蛍光ランプ７およびこの蛍光ランプ７を点灯させる点灯装置（図示しない。）を具備している。
【００２９】
親機のセンサ装置２には、電源線８を介して商用交流電源が入力されている。この電源は、電源線９を介して照明器具６の点灯装置に供給可能となっており、直流電圧に変換されてから、信号線１０を介して子機のセンサ装置３，４および時限オフスイッチ装置５に供給される。
【００３０】
図２に示すように、センサ装置２は、センサ装置本体１２、カバー１３および取付金具１４，１４等を有する。センサ装置本体１２は、例えばユリア樹脂により形成され、天井１５に形成された開口部１６に埋め込まれている。センサ装置本体１２の下面には、円盤状のカバー１３が着脱可能に取り付けられている。すなわち、センサ装置本体１２には、天井１５の下面１５ａに当接し、かつ、カバー１３と略同径のフランジ部１７を有する。このフランジ部１７に設けられた爪部１８，１８（図３に示す。）にカバー１３が係合されている。
【００３１】
そして、センサ装置本体１２の側面には、天井１５の上面１５ｂに当接してセンサ装置本体１２を保持する取付金具１４，１４がそれぞれ取り付けられ、上部側面には、図示しない電源用端子部および制御用端子部が設けられている。
【００３２】
図３に示すように、センサ装置２のフランジ部１７の内側は、部品配置部１９に形成されている。部品配置部１９には、第１，第２のフェーダ２０，２１、図１に示すリモコン送信機２２からの送信信号を受信するリモコン受信部２３、リモコン送信機２２に返信信号を送信するリモコン送信部２４および人体から放射される熱線を検知する人感センサ２５ａが配設されている。この人感センサ２５ａは、焦電センサであり、その検知範囲は、円錐形の内部で、例えば、天井１５の下面１５ａからの距離２ｍの検知面で直径約５ｍの範囲内を検知するようになっている。
【００３３】
第１のフェーダ２０は、所定期間としての第１の所定期間を設定するものであり、センサ装置本体１２内の可変抵抗器（図示しない。）に接続されている。そして、起点から終点までの操作範囲で移動操作させることにより、第１の所定期間を０〜３０分の範囲で設定させる。
【００３４】
また、第２のフェーダ２１は、第２の所定期間を設定するものであり、同じく、第２の所定期間を０〜５分の範囲で設定させる。第１の所定期間は、後述の送出信号検出手段２８がセンサ装置３，４から送出された検知信号を検出した時点から計時されるものである。また、第２の所定期間は、同じく時限オフスイッチ装置４からの操作信号を検出した時点から計時されるものである。
【００３５】
センサ装置２は、センサ装置本体１２の内部に負荷制御装置２６を具備している。負荷制御装置２６は、図４に示すように、電源部２７、電圧検出手段としての子機/時限オフスイッチ通信Ｉ／Ｆ部（インターフェース）２８、人感センサＩ／Ｆ（インターフェース）部２９、リモコン送受信Ｉ／Ｆ（インターフェース）部３０、設定操作部３１、主制御部３２、記憶部３３、計時部３４、センサ制御手段および外部操作制御手段としての負荷制御Ｉ／Ｆ（インターフェース）部３５を有する。
【００３６】
電源部２７は、電源端子３６，３６に接続されている。電源端子３６，３６は、電源線８を介して商用交流電源（図示しない。）に接続されている。電源部２７は、交流電圧を直流電圧に変換すると共に、所定の電圧値に調整して、主制御部３２やその他の回路部に駆動電源を供給するように構成されている。また、子機・時限オフスイッチ通信Ｉ／Ｆ部２８を介して、通信端子３７，３７に接続されている信号線１０に直流電圧、例えば１２Ｖを供給している。通信端子３７，３７は、信号線１０を介して子機のセンサ装置３，４および時限オフスイッチ装置５に接続されている。したがって、電源部２７は、信号線１０により、子機のセンサ装置３，４および時限オフスイッチ装置５に直流電圧例えば１２Ｖを供給している。
【００３７】
電源端子３６，３６は、第１リレー３８を介して負荷端子３９，３９に接続されている。そして、負荷端子３９，３９は、電源線９を介して照明器具６の点灯装置に接続されている。第１リレー３８がオンされることにより、商用交流電源の交流電圧が点灯装置に供給される。
【００３８】
子機・時限オフスイッチ通信Ｉ／Ｆ部２８は、人感センサＩ／Ｆ部２９および主制御部３２に接続され、人感センサＩ／Ｆ部２９から送出された人感センサ２５ａによる人体の検知信号を主制御部３２に与えるように構成されている。また、通信端子３７，３７および信号線１０を介して子機のセンサ装置３，４に接続され、子機のセンサ装置３，４から信号線１０に送出された人体検知信号を主制御部３２に与えるように構成されている。さらに、通信端子３７，３７および信号線１０を介して時限オフスイッチ装置５に接続され、時限オフスイッチ装置５において、蛍光ランプ７を消灯させる手動操作（外部操作）が行われたときの時限オフスイッチ装置５から信号線１０に送出された操作信号を主制御部３２に与えるように構成されている。
【００３９】
人感センサＩ／Ｆ部２９は、人感センサ２５ａに接続されており、人感センサ２５ａが検知した人体の検知信号を子機・時限オフスイッチ通信Ｉ／Ｆ部２８に送出するように構成されている。
【００４０】
リモコン送受信Ｉ／Ｆ部３０は、リモコン受信部２３およびリモコン送信部２４に接続されている。そして、リモコン受信部２３が受信したリモコン送信機２２から送信された制御信号、例えば蛍光ランプ７を点灯させる点灯信号や調光点灯させる調光信号あるいは蛍光ランプ７を強制的に消灯させる消灯信号（外部操作信号）を主制御部３２に与えるように構成されている。また、主制御部３２から送出された蛍光ランプ７の点灯状態や第１および第２の所定期間などの返信信号をリモコン送信部２４に送出して、リモコン送信部２４からリモコン送信機２２に送信させるように構成されている。
【００４１】
設定操作部３１は、センサ装置２の部品配置部１９に設けられた第１，第２のフェーダ２０，２１の操作量に応じて、それぞれ第１の所定期間および第２の所定期間を設定するように構成されている。第１および第２の所定期間は、主制御部３２に与えられ、主制御部３２により記憶部３３に記憶される。
【００４２】
主制御部３２は、例えばＣＰＵおよびこのＣＰＵが実行する処理プログラムが格納されたＲＯＭなどを有するマイクロプロセッサからなり、信号検出手段３２ａ、センサ制御手段３２ｂ、外部操作制御手段３２ｃ、給電停止手段３２ｄ、給電自動復帰手段３２ｅを具備している。信号検出手段３２ａは子機・時限オフスイッチ通信Ｉ／Ｆ部２８により検出した電圧に基づいて人体検知信号、外部操作信号、信号線１０に発生した短絡の有無を検出する機能を有する。人体検知信号は、人感センサ２５ａ，２５ｂにより人体の存在が検出されたときに、親機の人感センサＩ／Ｆ部２９または子機の人感センサＩ／Ｆ部４３から信号線１０へ送出されるパルス状の信号であり、その電圧レベルは図７（ａ）に示すように操作信号の電圧レベルよりも低いので、これら両信号をそれぞれ判別して検出することができる。
【００４３】
一方、操作信号は、図１で示す時限スイッチ装置５において、蛍光ランプ７を消灯させる手動操作（外部操作）が行なわれたときに、この時限スイッチ装置５から信号線１０に送出されるパルス状の信号である。
【００４４】
また、信号線１０の短絡時に発生する電圧降下は、これら人体検知信号や操作信号よりも大きい。これら人体検知信号、操作信号、短絡時の電圧レベルは予めＲＡＭ等の記憶部３３に記録されており、信号検出手段３２ａは子機・時限オフスイッチ通信Ｉ／Ｆ部２８から読み出した電圧を、記憶部３３から読み出したこれら各信号等の電圧レベルと対比することにより、これら信号や短絡を検出し、その検出結果をセンサ制御手段３２ｂ、外部操作制御手段３２ｃ、給電停止手段３２ｄにそれぞれ与えるようになっている。
【００４５】
センサ制御手段３２ｂは、信号検出手段３２ａから人体検知信号の検出結果を受けると、負荷制御Ｉ／Ｆ部３５に人体の存在に応じた制御信号としての第１リレー３８をオンにさせる制御信号を出力するように構成されている。すなわち、人感センサ２５が人体を検知したときに、照明器具６の蛍光ランプ７が点灯するように制御する。
【００４６】
そして、センサ制御手段３２ｂは、信号検出手段３２ａが人体検知信号を検出した時点から第１の所定期間内に再び検知信号を検出しないときに、負荷制御Ｉ／Ｆ部３５に対する第１リレー３８をオンにさせる制御信号の出力を停止するように構成されている。この制御信号の停止により、負荷制御Ｉ／Ｆ部３５は、第１リレー３８をオフにする。すなわち、子機・時限オフスイッチ通信Ｉ／Ｆ部２８が検知信号を検出した時点から第１の所定期間後に蛍光ランプ７が消灯するように制御する。当該制御信号の停止は、人体の不存在に応じた制御信号を出力することと同等である。
【００４７】
また、外部操作制御手段３２ｃは、蛍光ランプ７が点灯しているときに、時限オフスイッチ装置５からの操作信号が入力されると、負荷制御Ｉ／Ｆ部３５に対する第１リレー３８をオンにさせる制御信号の出力を停止するように構成されている。この制御信号の停止により、負荷制御Ｉ／Ｆ部３５は、第１リレー３８をオフにする。すなわち、時限オフスイッチ装置５のスイッチ部５ａが手動操作され、時限オフスイッチ装置５から操作信号が信号線１０に送出され、信号検出手段３２ａが当該操作信号を検出すると、蛍光ランプ７を強制的に消灯させる。
【００４８】
そして、当該検出の時点から第２の所定期間に亘ってセンサ装置３，４の検知信号に応じた蛍光ランプ７の制御を停止させる。すなわち、第２の所定期間に亘って、蛍光ランプ７は強制的に消灯される。そして、第２の所定期間経過後に、センサ装置３，４の検知信号に応じた蛍光ランプ７の制御を停止することが解除され、再びセンサ装置３，４の検知信号に応じて蛍光ランプ７の点消灯が制御される。
【００４９】
記憶部３３は、第１および第２の所定期間や上記各信号の電圧レベルなどの諸データが記憶されている。また、計時部３４は、信号検出手段３２ａにより、子機・時限オフスイッチ通信Ｉ／Ｆ部２８が人体検知信号の電圧を検出した時点から第１の所定期間を計時し、子機・時限オフスイッチ通信Ｉ／Ｆ部２８が操作信号を検出した時点から第２の所定期間を計時する。そして、第１の所定期間または第２の所定期間の計時がタイムアップすると、計時完了の信号を主制御部３２のセンサ制御手段３２ｂと外部操作制御手段３２ｃに与えるように構成されている。
【００５０】
負荷制御Ｉ／Ｆ部３５は、センサ制御手段３２ｂから与えられた第１リレー３８をオンにさせる制御信号に応じて第１リレー３８をオンさせるように構成されている。そして、センサ制御手段３２ｂと外部操作制御手段３２ｃが当該制御信号の出力を停止すると、第１リレー３８をオフさせる。
【００５１】
そして、子機のセンサ装置３，４は、親機のセンサ装置２と略相似の外形を有するが、これよりも小型に形成されている。また、部品配置部１９には、図３で示すリモコン受信部２３、リモコン送信部２４および第１，第２フェーダ２０，２１などは備えられず、人感センサ２５ｂが具備されている。
【００５２】
この人感センサ２５ｂは親機の人感センサ２５ａと同一の機能を有する。図５に示すように子機のセンサ装置３，４のセンサ装置本体１２の内部には、人感センサ２５ｂとこの人感センサ２５ｂにより人体が検知されたときの検知信号を親機のセンサ装置２の負荷制御装置２６に送出する検知信号送信装置４０が設けられている。ここで、親機のセンサ装置２と同一部分には、同一符号を用いている。
【００５３】
図５に示すように検知信号送信装置４０は、整流器４１、電源部４２、人感センサＩ／Ｆ（インターフェース）部４３、送信信号生成部４４およびＮ形のバイポーラトランジスタＴｒ１を有する。人感センサ２５ｂは、人感センサＩ／Ｆ部４３に接続されている。
【００５４】
整流器４１の入力端子は、通信端子４５，４５に接続されている。この通信端子４５，４５は、信号線１０を介して親機のセンサ装置２の負荷制御装置２６の通信端子３７，３７に接続されている。これにより、通信端子４５，４５には、負荷制御装置２６の電源部２７（子機・時限オフスイッチ通信Ｉ／Ｆ部２８）から出力された直流電圧１２Ｖが供給されており、直流電圧が整流器４１の入力端子に入力される。
【００５５】
整流器４１の出力端子間には、ツェナーダイオードＺＤ１およびバイポーラトランジスタＴｒ１の直列回路が接続されている。バイポーラトランジスタＴｒ１は、そのベースを、抵抗Ｒ１を介して送信信号生成部４４の出力側に接続し、ベースおよびエミッタ間に抵抗Ｒ２を接続している。バイポーラトランジスタＴｒ１のベースに送信信号生成部４４の出力電圧（送信信号）が印加されると、バイポーラトランジスタＴｒ１はオンする。ここで、ツェナーダイオードＺＤ１のツェナー電圧は、例えば７．５Ｖである。
【００５６】
バイポーラトランジスタＴｒ１がオンすると、整流器４１の正極側の出力端子からツェナーダイオードＺＤ１およびバイポーラトランジスタＴｒ１の直列回路を介して負極側の出力端子に電流が流れる。この結果、整流器４１およびツェナーダイオードＺＤ１などにより通信端子４５，４５間に電圧降下が発生し、通信端子４５，４５間の電圧が１２Ｖから９Ｖ低い３Ｖに低下する。すなわち、信号線１０の直流電圧が変化される。この電圧降下は、直流電圧の電圧レベルを変化させ、親機側の負荷制御装置２６の子機・時限スイッチ通信Ｉ／Ｆ部２８により検出される。すなわち、図７（ａ）に示すように、子機・時限オフスイッチ通信Ｉ／Ｆ部２８で約３Ｖの電圧が検出される。これにより、子機のセンサ装置３，４の人感センサ２５が人体を検出すると、人体検知信号が信号線１０に送出されることになり、子機・時限オフスイッチ通信Ｉ／Ｆ部２８を経て主制御部３２の信号検出部３２ａに与えられる。
【００５７】
電源部４２は、Ｎ形のバイポーラトランジスタＴｒ２、ツェナーダイオードＺＤ２、抵抗Ｒ３および抵抗Ｒ４を有する。整流器４１の出力端子間には抵抗Ｒ３、抵抗Ｒ４およびツェナーダイオードＺＤ２が接続されている。これにより、整流器４１の正極側の出力端子から抵抗Ｒ３および抵抗Ｒ４を介してバイポーラトランジスタＴｒ２のベースに電流が流れるので、バイポーラトランジスタＴｒ２は、常にオンする。このバイポーラトランジスタＴｒ２のオンにより、整流器４１から人感センサＩ／Ｆ部４３および送信信号生成部４４などに駆動電源が供給されている。すなわち、センサ装置３，４は、信号線１０から電力が供給されて動作している。
【００５８】
人感センサＩ／Ｆ部４３は、人感センサ２５ｂが人体を検知すると、人体検知信号を送信信号生成部４４に与えるように構成されている。送信信号生成部４４は、当該人体検知信号に応じて、送信信号をバイポーラトランジスタＴｒ１のベースに出力するように構成されている。この送信信号がバイポーラトランジスタＴｒ１のベースに印加され、バイポーラトランジスタＴｒ１がオンすることにより、子機側の人感センサ２５ｂが人体を検知したときの人体検知信号が信号線１０に送出され、親機側の負荷制御装置２６の子機・時限オフスイッチ通信Ｉ／Ｆ部２８で検出される。
【００５９】
このように、センサ装置３，４は、信号線１０を介して親機のセンサ装置２から電力が供給されて動作し、人感センサ２５が人体を検知したときに、信号線１０の電圧を変化させることにより、信号線１０に検知信号を送出するように構成されている。
【００６０】
そして、時限オフスイッチ装置５は、図１に示すように、子機のセンサ装置３，４と同様、信号線１０に接続され、信号線１０を介して親機のセンサ装置２から電力（直流電圧）が供給されて動作している。また、スイッチ部５ａの操作に応じて、操作信号を信号線１０に送出する操作信号送信装置４６が設けられている。
【００６１】
図６に示すように、操作信号送信装置４６は、整流器４７、電源部４８、スイッチ判定部４９、送信信号生成部５０およびＮ形のバイポーラトランジスタＴｒ３を有し、スイッチ判定部４９には、スイッチ部５ａが接続されている。このスイッチ部５ａが手動操作により、オンされると、スイッチ判定部４９がオン信号を送信信号生成部５０に与えるように構成されている。送信信号生成部５０は、当該オン信号に応じて、出力電圧（送信信号）をバイポーラトランジスタＴｒ３に供給する。
【００６２】
整流器４７の入力端子は、一対の通信端子５１，５１に接続され、これら通信端子５１，５１は、信号線１０を介して親機のセンサ装置２の負荷制御装置２６の通信端子３７，３７に接続されている。これにより、一対の通信端子５１，５１には、信号線１０から電力（直流電圧１２Ｖ）が供給され、直流電圧が整流器４７の入力端子に入力される。
【００６３】
整流器４７の出力端子間には、ツェナーダイオードＺＤ３およびバイポーラトランジスタＴｒ３の直列回路が接続されている。このバイポーラトランジスタＴｒ３は、ベースを、抵抗Ｒ５を介して送信信号生成部５０の出力側に接続し、ベースおよびエミッタ間に抵抗Ｒ６を挿入している。バイポーラトランジスタＴｒ３のベースに送信信号生成部５０の出力電圧が印加されると、バイポーラトランジスタＴｒ３はオンする。ここで、ツェナーダイオードＺＤ３のツェナー電圧は、例えば６．５Ｖである。
【００６４】
バイポーラトランジスタＴｒ３がオンすると、整流器４７の正極側の出力端子からツェナーダイオードＺＤ３およびバイポーラトランジスタＴｒ３の直列回路を介して負極側の出力端子に電流が流れる。この結果、整流器４７およびツェナーダイオードＺＤ３などにより一対の通信端子５１，５１間に電圧降下が発生し、一対の通信端子５１，５１間の電圧が１２Ｖから８Ｖ低い４Ｖに低下する。すなわち、信号線１０の電圧（直流電圧）が変化され、この変化は、センサ装置３，４のときの電圧の変化と異なっている。そして、当該電圧降下は、直流電圧の電圧レベルを変化させ、親機側の負荷制御装置２６の子機・時限オフスイッチ通信Ｉ／Ｆ部２８により検出される。すなわち、図７（ａ）に示すように、子機・時限オフスイッチ通信Ｉ／Ｆ部２８で４Ｖの電圧が検出される。これにより、時限オフスイッチ装置５のスイッチ部５ａの手動操作が行われると、その操作信号が信号線１０に送出され、この信号線１０を介して親機の子機・時限オフスイッチ通信Ｉ／Ｆ部２８で検出されて主制御部３２に送出される。
【００６５】
電源部４８は、Ｎ形のバイポーラトランジスタＴｒ４、ツェナーダイオードＺＤ４、抵抗Ｒ７および抵抗Ｒ８を有して構成されている。そして、整流器４７の出力端子間に抵抗Ｒ７、抵抗Ｒ８およびツェナーダイオードＺＤ４が接続されている。これにより、整流器４７の正極側の出力端子から抵抗Ｒ７および抵抗Ｒ８を介してバイポーラトランジスタＴｒ４のベースに電流が流れるので、バイポーラトランジスタＴｒ２は、常にオンする。このバイポーラトランジスタＴｒ２のオンにより、整流器４７からスイッチ判定部４９および送信信号生成部５０などに駆動電源が供給されている。すなわち、時限オフスイッチ装置５は、信号線１０から電力が供給されて動作している。
【００６６】
このように、時限オフスイッチ装置５は、信号線１０から電力が供給されて動作し、スイッチ部５ａが手動操作されたときに、信号線１０の電圧を、センサ装置３，４のときの３Ｖと異なる４Ｖに変化させることにより、信号線１０に操作信号を送出するように構成されている。
【００６７】
そして、負荷制御装置２６の信号線電圧検出手段としての子機・時限オフスイッチ通信Ｉ／Ｆ部２８は、信号線１０に供給されている電力の電圧（直流電圧）の変化により、センサ装置３，４から信号線１０に送出された人体検知信号と、時限オフスイッチ装置５から信号線１０に送出された操作信号を検出する。すなわち、子機・時限オフスイッチ通信Ｉ／Ｆ部２８は、常時、信号線１０の電圧（直流電圧）を検出している。そして、図７（ａ）に示すように、センサ装置３，４および時限オフスイッチ装置５の動作により微小な電圧変動が検出される。また、約３Ｖの検出により、センサ装置３，４からの検知信号を検出し、約４Ｖの検出により、時限オフスイッチ装置５からの操作信号を検出している。これら電圧検出は、図７（ｂ）に示すように、信号線１０の電圧（直流電圧）の変化に応じて、抵抗Ｒ９に流れる電流を検出することにより行っている。すなわち、抵抗Ｒ９の両端電圧Ｖｆを検出することにより、信号線１０の電圧（直流電圧）の変化がセンサ装置３，４からの人体検知信号によるものか、時限オフスイッチ装置５からの操作信号によるものかを判断している。
【００６８】
そして、子機・時限オフスイッチ通信Ｉ／Ｆ部２８は、センサ装置３，４の検知信号および時限オフスイッチ装置５の操作信号をそれぞれ主制御部３２に送出している。また、子機・時限オフスイッチ通信Ｉ／Ｆ部２８は、親機の人感センサ２５が検出した人体検知信号が入力され、当該検知信号を主制御部３２に与えている。
【００６９】
上述したように、センサ装置３，４およびスイッチ装置５が同一の信号線１０に接続され、信号線１０から電力（直流電圧）が供給されて動作するとともに、センサ装置３，４の人体検知信号およびスイッチ装置５の操作信号がそれぞれ信号線１０の電圧を異ならせて信号線１０に送出され、当該人体検知信号および操作信号が子機・時限オフスイッチ通信Ｉ／Ｆ部２８で検出されるように構成されているので、センサ装置３，４およびスイッチ装置５に個々に信号線１０が配線される場合に比べて、照明装置１の構成が簡素となり、照明装置１が安価に形成される。特に、一般家庭における照明装置１は、安価であることが求められ、それに応えることができる。また、照明装置１の配線が省力化される。
【００７０】
そして、センサ装置３，４と、時限オフスイッチ装置５とは、直流電圧の電圧レベルが互いに異なるようにして、それぞれ人体検知信号および操作信号を送出するので、それぞれの構成が簡素化される。また、子機・時限オフスイッチ通信Ｉ／Ｆ部２８は、信号線１０の電圧レベルの相違を検出するので、検知信号および操作信号の検出が容易であり、回路構成が簡素化される。さらに、人体検知信号および操作信号としての電圧レベルの変化は、信号線１０またはセンサ装置３，４内部の短絡による電圧レベルの変化と異なるように設定しておくことによって、これらを確実に区別することができる。
【００７１】
なお、信号線１０の電圧の変化は、直流電圧の幅であってもよい。すなわち、センサ装置３，４の送信信号生成部４４または時限オフスイッチ装置５の送信信号生成部５０のそれぞれの出力電圧（送信信号）の出力期間を変化させることにより、直流電圧の幅を変化させるように構成してもよい。
【００７２】
また、信号線１０に供給される電源は、交流電圧であってもよく、交流電圧が検知信号および操作信号で異なるように変化され、子機・時限オフスイッチ通信Ｉ／Ｆ部２８が当該変化を検出するように形成されていてもよい。
【００７３】
次に、本発明の一実施の形態の動作について述べる。
【００７４】
子機のセンサ装置３，４に設けられている人感センサ２５ｂが人体の存在を検知すると、人体検知信号が信号線１０に送出され、親機のセンサ装置２に配設されている負荷制御装置２６の子機・時限オフスイッチ通信Ｉ／Ｆ部２８で検知信号の電圧が検出される。また、親機のセンサ装置２に設けられている人感センサ２５ａが人体を検知すると、その検知信号が子機・時限オフスイッチ通信Ｉ／Ｆ部２８に入力される。この子機・時限オフスイッチ通信Ｉ／Ｆ部２８は、主制御部３２に電圧検知信号を送出する。
【００７５】
また、時限オフスイッチ装置５のスイッチ部５ａが手動操作されると、操作信号が信号線１０に送出され、子機・時限オフスイッチ通信Ｉ／Ｆ部２８で操作信号が検出される。子機・時限オフスイッチ通信Ｉ／Ｆ部２８は、主制御部３２に操作信号を送出する。
【００７６】
主制御部３２では、その信号検出手段３２ａにより、子機・時限オフスイッチ通信Ｉ／Ｆ部２８が検出した電圧降下による電圧レベルが、例えば３Ｖであれば、人体検知信号であると判断し、４Ｖであれば操作信号であると判断し、これ以上の電圧変化の場合には、短絡が発生したと判断し、人体検知信号はセンサ制御手段３２ｂへ与え、操作信号は外部操作制御手段３２ｃに与え、短絡検知信号は給電停止手段３２ｄに与える。
【００７７】
図４に示すように、センサ制御手段３２ｂは、人体検知信号が入力されると、負荷制御Ｉ／Ｆ部３５に人体の存在に応じた制御信号として、第１リレー３８をオンにさせる制御信号を出力する。負荷制御Ｉ／Ｆ部３５は、当該制御信号に応じて、第１リレー３８をオンさせる。第１リレー３８がオンすると、負荷制御装置２６の一対の負荷端子３９，３９間に商用交流電源からの交流電圧が印加され、交流電圧は、電源線９を介して照明器具６の図示しない点灯装置に入力される。点灯装置は、蛍光ランプ７を点灯させる。このように、センサ制御手段３２ａは、人感センサ２５が人体を検知したときに、照明器具６の蛍光ランプ７を点灯させる。
【００７８】
さらに、センサ制御手段３２ｂは、親機のセンサ装置２の人感センサ２５による人体検知信号を入力した時点または子機・時限オフスイッチ通信Ｉ／Ｆ部２８が検知信号を検出した時点から第１の所定期間Ｔ１を計時部３４に計時をスタートさせる。そして、計時部３４は、第１の所定期間Ｔ１の計時がタイムアップすると、計時完了の信号をセンサ制御手段３２ａに与える。センサ制御手段３２ａは、当該計時完了の信号が入力されると、負荷制御Ｉ／Ｆ部３５に出力している第１リレー３８をオンにさせる制御信号の出力を停止させる。負荷制御Ｉ／Ｆ部３５は、当該制御信号の出力停止により、第１リレー３８をオフにする。これにより、負荷端子３９，３９間に商用交流電源からの交流電圧が印加されなくなり、点灯装置には給電されなくなるので、蛍光ランプ７は消灯する。
【００７９】
また、センサ制御手段３２ａは、計時部３４が第１の所定期間Ｔ１を計時しているときに、人体検知信号が入力されると、計時部３４による計時をリスタート（再開）させる。すなわち、センサ制御手段３２ａは、人感センサ２５ｂが人体を検知するごとに、繰り返し、計時部３４に第１の所定期間Ｔ１を計時させる。
【００８０】
そして、センサ制御手段３２ａは、図８（ａ）に示すように、親機のセンサ装置２の人感センサ２５ａによる検知信号を入力した時点または子機・時限オフスイッチ通信Ｉ／Ｆ部２８が検知信号を検出した時点から第１の所定期間Ｔ１内に再び検知信号が入力されないときに蛍光ランプ７を消灯させる。
【００８１】
そして、例えばユーザの外出時等で、玄関に設けられている時限オフスイッチ装置５のスイッチ部５ａが手動操作（オフ操作）されと、時限オフスイッチ装置５から操作信号が信号線１０に送出される。さらに、この操作信号は、子機・時限オフスイッチ通信Ｉ／Ｆ部２８で検出され、主制御部３２の外部操作制御手段３２ｃに入力される。
【００８２】
主制御部３２は、蛍光ランプ７が点灯しているときに、子機・時限オフスイッチ通信Ｉ／Ｆ部２８から操作信号が入力されたときに、負荷制御Ｉ／Ｆ部３５に対する第１リレー３８をオンにさせる制御信号の出力を停止する。このために、負荷制御Ｉ／Ｆ部３５は、第１リレー３８をオフにする。すなわち、時限オフスイッチ装置５のスイッチ部５ａが手動操作（オフ操作）され、時限オフスイッチ装置５から操作信号が出力されると、蛍光ランプ７を強制的に消灯させる。
【００８３】
そして、子機・時限オフスイッチ通信Ｉ／Ｆ部２８が操作信号を検出した時点から第２の所定期間Ｔ２に亘って検知信号に応じた蛍光ランプ７の制御を停止させる。すなわち、図８（ｂ）に示すように、第２の所定期間Ｔ２の計時中に、人感センサ２５が人体を検知して人感センサ２５の検知信号が外部操作制御手段３２ｃに入力されても、外部操作制御手段３２ｃは、蛍光ランプ７を強制的に消灯させる。また、外部操作制御手段３２ｃは、第２の所定期間Ｔ２の経過後に、人感センサ２５ａ，２５ｂの人体検知信号に応じた蛍光ランプ７の制御を停止することを解除し、再び人感センサ２５ａ，２５ｂの人体検知信号に応じて蛍光ランプ７の点消灯を制御する。
【００８４】
そして、給電停止手段３２ｄは、信号検出手段３２ａから短絡検知信号を受けると、短絡表示ランプＬに通電して点灯させ、短絡が発生したことを表示させる一方、子機・時限オフスイッチ通信Ｉ／Ｆ部２８の給電出力側の第２リレーＲ２をオンし、その常閉接点Ｒ２ｂを開放させる。このために、電源部２７から信号線１０へ供給される給電が遮断され、子機のセンサ装置３，４と時限オフスイッチ５への給電が停止される。
【００８５】
これにより、短絡による過電流が遮断されるので、この過電流による親機のセンサ装置２、子機のセンサ装置３，４、子機・時限オフスイッチ通信Ｉ／Ｆ部２８の故障を未然に防止し、または低減することができる。
【００８６】
また、短絡発生後、直ちに信号線１０への給電を遮断するので、短絡時の過電流が親機や子機のセンサ装置２，３，４、時限オフスイッチ５に流れる時間は非常に短い。このために、これらの抵抗等の電流制限部材として高価な大容量のものを使用する必要が無いので、コスト低減と回路構成の簡単化を図ることができる。
【００８７】
そして、この給電停止から所定時間経過後、給電自動復帰手段３２ｅは、第２リレーＲ２を所定時間置きに所定回数繰り返しオンオフを繰り返すことにより、その接点Ｒ２ｂを間欠的に開閉して電源部２７から信号線１０への給電を間欠的に繰り返す。このときの信号線１０の電圧は子機・時限オフスイッチ通信Ｉ／Ｆ部２８を介して給電自動復帰手段３２ｅにより監視される。
【００８８】
これにより、子機・時限オフスイッチ通信Ｉ／Ｆ部２８で検出される信号線１０の電圧が何らかの理由により正常、すなわち、電源部２７から信号線１０へ供給される電力の電圧（例えば１２Ｖ）が短絡発生前に復帰したことを給電自動復帰手段３２ｅが検出したときは、この給電自動復帰手段３２ｅは、短絡が解消したものと判断して、第２リレーＲ２をオフにし、その開放中の常閉接点を再び閉じる。
【００８９】
このために、再び電源部２７から電力が信号線１０へ給電される。すなわち、短絡発生後、給電を自動的に復帰させることができる。
【００９０】
なお、図８において、動作モードが自動モードの場合は、人感センサ２５ａ，２５ｂの人体検知信号に応じて、主制御部３２が蛍光ランプ７の点消灯を制御していること、すなわち、センサ制御手段３２ａによる制御をしていることを表している。また、時限オフモードは、時限オフスイッチ装置５からの操作信号に応じて、センサ制御手段３２ｂが蛍光ランプ７を強制的に消灯制御している（外部操作制御手段による制御）ことを表している。
【００９１】
また、センサ制御手段３２ｂは、子機・時限オフスイッチ通信Ｉ／Ｆ部２８から操作信号が入力されたとき、蛍光ランプ７を第２の所定期間Ｔ２に亘って強制的に消灯制御する必要はなく、操作信号が入力された時点で蛍光ランプ７を消灯させ、その後は、人感センサ２５ａ，２５ｂの人体検知信号に応じて制御するように構成してもよい。
【００９２】
さらに、負荷制御Ｉ／Ｆ部３５は、主制御部３２から第１リレー３８をオンにさせる制御信号が出力されたときに第１リレー３８をオンし、当該制御信号の出力の停止により第１リレー３８をオフさせるように構成されているが、これに限らず、主制御部３２から人体の存在に応じた制御信号としてのパルス信号が出力されたときに第１リレー３８をオンすると共にオン状態を保持し、主制御部３８から人体の不存在に応じた制御信号としてのパルス信号が出力されたときに第１リレー３８のオン状態の保持を解除して第１リレー３８をオフさせるように構成してもよい。また、子機のセンサ装置３，４は２台に限定されず、３台以上でもよく、１台以上であればよい。さらに、第２のリレーＲ２は、リレー以外の給電をオンオフ制御し得る手段に置換してもよい。
【００９３】
図９（ｂ）は本発明の第２の実施形態に係るセンサ装置のパルス人体検知信号送出手段（図示せず）から信号線１０に送信されるパルス人体検知信号Ｂの波形を示している。一方、同（ａ）は上記第１の実施形態に係るセンサ装置３，４から信号線１０へ送出される人体検出信号Ａの波形図である。この人体検知信号Ａは電圧降下による負の単発のパルス信号を１回出力することにより構成されている。
【００９４】
これに対し、図９（ｂ）で示すパルス人体検知信号Ｂは、電圧降下による負の複数個のパルスを周期的に繰り返すパルス信号により構成されている。また、これら複数個の各パルスのパルス幅を例えば０．１〜１０ｍｓに構成している。
【００９５】
これによれば、１個の人体検知信号Ｂが複数個のパルス列から構成されているので、１個の単発パルスから構成される人体検知信号Ａよりも検出し易いうえに、人体検知信号または操作信号と、信号線１０またはセンサ機器３，４内部の短絡による電圧降下と、を確実に区別し、親機センサ装置２における子機・時限オフスイッチ通信Ｉ／Ｆ部２８の当該信号の検出精度の向上を図ることができる。また、１個のパルスの幅が０．１〜１０ｍｓであるので、１回の検知信号を出力するために必要な電力を低減し、節電を図ることができる。
【図面の簡単な説明】
【００９６】
【図１】本発明の一実施の形態を示す照明装置の概略構成図。
【図２】同じく、天井に取り付けられた状態の親機のセンサ装置の概略正面図。
【図３】同じく、親機のセンサ装置のカバーが取り外された状態の概略下面図。
【図４】同じく、負荷制御装置の概略ブロック図。
【図５】同じく、子機のセンサ装置の概略回路図。
【図６】同じく、時限オフスイッチ装置の概略回路図。
【図７】同じく、信号線に送出される検知信号および操作信号を示し、（ａ）は信号図、（ｂ）は概略検出回路図。
【図８】同じく、照明負荷の制御を示す動作図。
【図９】（ａ）は本発明の第１の実施形態に係る照明装置の人体検知信号の波形図、（ｂ）は同第２の実施形態に係る照明装置のパルス人体検知信号の波形図。
【符号の説明】
【００９７】
１…照明装置、３，４…子機のセンサ装置、７…照明負荷としての蛍光ランプ、２６…負荷制御装置、２８…送出信号検出手段としての子機・時限オフスイッチ通信Ｉ／Ｆ部、３２…照明制御手段、電圧検出手段、信号検出手段、給電停止手段としての主制御部、Ｌ…短絡表示ランプ。
【図１】
2009037793.tif 000003
【図２】
2009037793.tif 000004
【図３】
2009037793.tif 000005
【図４】
2009037793.tif 000006
【図５】
2009037793.tif 000007
【図６】
2009037793.tif 000008
【図７】
2009037793.tif 000009
【図８】
2009037793.tif 000010
【図９】
2009037793.tif 000011